(57)【要約】【課題】装填した巻テープが不用意に弛むようなことのない巻テープ用ホルダーを提供する。【解決手段】巻テープを回転可能に支持するためのホルダー本体に巻テープを回転可能に支持するようにした巻テープ用ホルダーにおいて、ホルダー本体には、巻テープの外周に弾性的に接触して巻テープの弛みを阻止するためのテープ保持部が設けられ、ホルダー本体は、巻テープの左右側部にそれぞれ沿う左右一対の対向壁部と、これら左右対向壁部を所定間隔開けてほぼ平行に連結するための連結壁部と、左右対向壁部間に巻テープを回転可能に支持するための支持部とが備えられ、テープ保持部は、前記連結壁部の長さ方向一端部から巻テープの引き出し方向に延びて、テープの外周に接触する遊端部がテープの巻取り方向に折り曲げられた。【選択図】図３
2007126159.tif 000002
【特許請求の範囲】
【請求項１】
巻テープを回転可能に支持するためのホルダー本体に巻テープを回転可能に支持するようにした巻テープ用ホルダーにおいて、ホルダー本体には、巻テープの外周に弾性的に接触して巻テープの弛みを阻止するためのテープ保持部が設けられていることを特徴とする巻テープ用ホルダー。
【請求項２】
ホルダー本体は、巻テープの左右側部にそれぞれ沿う左右一対の対向壁部と、これら左右対向壁部を所定間隔開けてほぼ平行に連結するための連結壁部と、左右対向壁部間に巻テープを回転可能に支持するための支持部とが備えられ、テープ保持部は、前記連結壁部の長さ方向一端部から巻テープの引き出し方向に延びて、テープの外周に接触する遊端部がテープの巻取り方向に折り曲げられていることを特徴とする請求項１に記載の巻テープ用ホルダー。
【請求項３】
ホルダー本体が、可撓性を有する板材から一体形成されていることを特徴とする巻テープ用ホルダー。
【発明の詳細な説明】
【技術分野】
【０００１】
本発明は、主として巻き面に粘着性が備わっていない紙テープなどの巻テープを保持するためのホルダーに関する。
【背景技術】
【０００２】
一般に巻テープを保持するホルダーは、例えば、巻テープの左右側部にそれぞれ沿う左右一対の対向壁部と、これら左右対向壁部を所定間隔開けてほぼ平行に連結するための連結壁部とが備えられるとともに、左右対向壁部間に、左右両対向壁を連結して巻テープを回転可能に支持するための支持部が設けられたホルダー本体から構成され、巻テープを左右対向壁部間において前記支持部に回転可能に支持するようにしている。（特許文献１参照）
ところで、以上のホルダーでは、セットされる巻テープが例えばテープの巻き面に粘着性が備わっているセロファンテープのようなものでは問題がないとしても、巻き面に粘着性が備わっていない例えば紙テープなどの巻テープでは、セロハンテープの巻テープとは異なり、テープが単に渦巻き状に巻かれているだけで、巻かれているテープ同士が接着されていないことから、ホルダー本体にセットされた巻テープが、その遊端部側から勝手に弛んでしまって、巻テープがホルダーにて大きく拡径方向に膨れ上がり、場合によっては巻テープの遊端側がホルダー本体から大きくはみ出してしまうなどの不具合があり、特に巻かれているテープの腰が強くて弾発力が強い場合には、前記した不具合が一層顕著に表れる。
【特許文献１】実開平４−２１３３３号
【発明の開示】
【発明が解決しようとする課題】
【０００３】
本発明は以上の実情に鑑みて開発したものであって、目的とするところは、装填した巻テープが不用意に弛むようなことのない巻テープ用ホルダーを提供することにある。
【課題を解決するための手段】
【０００４】
以上の目的を達成するため、請求項１に記載の発明は、巻テープを回転可能に支持するためのホルダー本体に巻テープを回転可能に支持するようにした巻テープ用ホルダーにおいて、ホルダー本体には、巻テープの外周に弾性的に接触して巻テープの弛みを阻止するためのテープ保持部が設けられていることを特徴とするものである。
【０００５】
請求項２に記載の発明は、請求項１に記載のホルダー本体が、巻テープの左右側部にそれぞれ沿う左右一対の対向壁部と、これら左右対向壁部を所定間隔開けてほぼ平行に連結するための連結壁部と、左右対向壁部間に巻テープを回転可能に支持するための支持部とを備え、テープ保持部は、前記連結壁部の長さ方向一端部から巻テープの引き出し方向に延びて、テープの外周に接触する遊端部がテープの巻取り方向に折り曲げられていることを特徴とするものである。
【０００６】
請求項３に記載の発明は、請求項２に記載のホルダー本体が可撓性を有する板材から一体形成されていることを特徴とするものである。
【発明の効果】
【０００７】
請求項１に記載の発明によれば、ホルダー本体に、巻テープの外周に弾性的に接触して巻テープの弛みを阻止するためのテープ保持部を設けたことにより、たとえ装填される巻テープの巻き面に粘着性が備わっていないものであっても、装填した巻テープが不用意に弛むようなことなく常に確実に巻かれた状態を維持することが出来、巻テープが大きく拡径方向に膨れ上がるような不具合を確実に解消することが出来る。
【０００８】
また請求項２に記載の発明によれば、テープ保持部が前記連結壁部の長さ方向一端部から巻テープの引き出し方向に延びて、テープの外周に接触する遊端部がテープの巻取り方向に折り曲げられたことにより、請求項１に記載の発明の効果に加え、テープ保持部の巻テープに対する接触面積が折り曲げ部分により充分確保出来、しかもテープの遊端部が弛む方向にはテープ保持部が突っ張りとなって、テープの弛みをより一層確実に阻止することが出来、逆にテープがホルダー本体から引き出される方向には、テープ保持部の突っ張り作用がキャンセルされるので、ホルダー本体からのテープの引き出しがスムーズに行なうことが出来る。
【０００９】
また請求項３に記載の発明によれば、請求項２に記載の発明の効果に加え、ホルダー本体を安価でしかも簡単に作成することが出来る。
【発明を実施するための最良の形態】
【００１０】
図１〜図４に示すホルダー１は、リング状に巻いた巻テープＴをホルダー本体２にセットして用いられるものである。
【００１１】
尚、巻テープＴは、そのテープの両面が非粘着性とされているものである。
【００１２】
ホルダー本体２は、可撓性を有する厚紙から形成されて、巻テープＴの左右側部にそれぞれ沿う左右一対の対向壁部３ａ・３ｂと、これら左右対向壁部３ａ・３ｂを所定間隔開けてほぼ平行に連結するための平面視長方形の連結壁部４とが備えられている。
【００１３】
そして相対向する左右対向壁部３ａ・３ｂ間には、左右両対向壁部３ａ・３ｂを連結して巻テープＴを支持するための支持部５と、左右両対向壁３ａ・３ｂを所定間隔開けて維持するための間隔維持部６と、連結壁部４と左右対向壁部３ａ・３ｂの端部を補強するための補強壁部７と、支持部５に支持されている巻テープＴの外周に弾性的に接触して巻テープＴの弛みを阻止するためのテープ保持部８とが設けられている。
【００１４】
そして支持部５と間隔維持部６とによる左右対向壁部３ａ・３ｂの連結は、いずれも離脱可能であり、また左右対向壁部３ａ・３ｂは、連結壁部４に対して揺動可能となっている。
【００１５】
図に示す支持部５は、第１支持片５１と、第２支持片５２と、第３支持片５３とから構成され、第１支持片５１は、対向壁部３ａの中央に設けられた貫通孔３１ａの内周縁に一体形成され、第１支持片５２は、対向壁部３ｂの中央に設けられた貫通孔３１ｂの内周縁に一体形成され、これら各支持片５１・５２と対向壁部３ａ・３ｂとの境界には、スリット状の挿通孔５１ａ・５２ａが設けられている。
【００１６】
また第3支持片５３は、図１にも示すように別途独立して形成され、この第３支持片５３の両端には、前記した挿通孔５１ａ・５２ａにそれぞれ挿通される挿通片５４・５５が一体形成されている。
【００１７】
また間隔維持部６は、第１維持片６１と、第２維持片６２と、第１保持片６１の先端に一体に形成されて、後記する挿通孔６４に挿通される挿通片６３とから構成され、第１保持片６１は、対向壁部３ａの外周縁における連結壁部４近くに一体形成され、第２保持片６２は、対向壁部３ｂの外周縁における連結壁部４近くに一体形成され、挿通孔６４は、対向壁３ｂと第２保持片６２との境界に形成されている。
【００１８】
補強壁部７は、ホルダー本体２におけるテープ引き出し口２０部分を補強するためのものであって、図１にも示すように、連結壁部４から左右対向壁部３ａ・３ｂにわたって一体に形成されている。
【００１９】
一方、巻テープＴの弛みを阻止するためのテープ保持部８は、図１にも示すように、連結壁部４の長さ方向一端から一体に延設されたものであり、このテープ保持部８は、図３にも示すように、連結壁部４に対してその基部から連結壁部４と重なり合う方向に折り曲げることで、連結壁部の長さ方向一端から巻テープＴの引き出し方向（図３において矢印Ｘ方向）に延びるように配置すると共に、その遊端部を更にテープの巻取り方向（図３において矢印Ｙ方向）に折り曲げて、テープ保持部８の遊端に巻テープＴの外周と弾性的に接触する接触片８１を設けている。
【００２０】
尚、図１において破線で示すラインは折り曲げラインであって、この折り曲げラインで各構成部材が折り曲げられるようにしている。
【００２１】
以上の構成から成るホルダー本体２に巻テープＴを装填するには、補強壁部７を折り曲げ、またテープ保持部８を連結壁部４に対してその基部から連結壁部４と重なり合う方向に折り曲げると共に、その遊端部の接触片８１をテープの巻取り方向（図３において矢印Ｙ方向）に折り曲げる。
【００２２】
続いて巻テープＴを一方の対向壁部３ａの内面側に載せた後、第１支持片５１、第２支持片５２及び第１、第２維持片６１・６２を対向壁部２ａ・２ｂに対して折り曲げ、更にもう一方の対向壁部２ｂを折り曲げて巻テープＴの側面に重ねると共に、第１支持片５１を第２支持片５２上に重ね合わせる。
【００２３】
そして第３支持片５３の挿通片５４・５５を折り曲げ、第３支持片を、重ねられた第１、第２支持片５１、５２上に被せて、挿通片５４・５５を挿通孔５１ａ・５２ａに挿通し、更に第１維持片６１も第２維持片６２上に重ね合わせた後、挿通片６３を挿通孔６４に挿通する。
【００２４】
以上の手順によってホルダー本体２に装填された巻テープＴは、左右対向壁部２ａ・２ｂ間において支持部５により回転可能に支持されるのであり、この時、支持部５に支持されている巻テープＴの外周には、テープ保持部８が常時弾性的に接触しているのであって、しかも、このテープ保持部８は連結壁部４の長さ方向一端から巻テープＴの引き出し方向に延び、且つテープＴの外周に接触する接触片８１がテープＴの巻取り方向に折り曲げられていることにより、テープ保持部８の巻テープＴに対する接触面積が充分確保出来、しかもテープＴの遊端部が弛む方向（図３において矢印Ｙ方向）にはテープ保持部８が突っ張り勝手となって阻止するので、たとえ装填される巻テープＴの巻き面に粘着性が備わっていないものであっても、巻テープＴが不用意に弛むようなことなく常に確実に巻かれた状態を維持することが出来て、巻テープＴが大きく拡径方向に膨れ上がるような不具合はないのである。
【００２５】
一方、ホルダー１に装填された巻テープＴを所定長さにカットするに際しては、ホルダー本体２のテープ引き出し口２０から巻テープＴを適宜引き出して、引き出されたテープをハサミなどで切断すればよいのであって、ホルダー本体２からの巻テープＴの引き出し時、テープ保持部８の突っ張り作用がキャンセルされるので、ホルダー本体２からのテープＴの引き出しがスムーズに行なわれるのである。
【００２６】
ところで、テープ保持部８は連結壁部４に対する折り曲げ前の位置への弾性復元力を備えていることから、巻テープＴの使用に伴い、図４に示すように巻テープＴの巻き量が減ってきても、テープ保持部８は、前記した弾性復元力により、巻テープＴの巻き量の減少に追随して、巻テープＴの外周に常時弾性的に接触しているので、巻テープＴの使用量如何にかかわらず、巻テープＴが不用意に弛むようなことなく常に確実に巻かれた状態を維持することが出来る。
【００２７】
以上の実施形態では、ホルダー本体２を厚紙から形成したが、これに限定されるものではなく、例えば合成樹脂製のシートから形成してもよい。
【００２８】
またホルダー本体２のテープ引き出し口２０にテープＴをカットするためのカッター刃を取り付けてもよい。
【図面の簡単な説明】
【００２９】
【図１】本発明にかかるホルダーの展開図。
【図２】巻テープを装填したホルダーの斜視図。
【図３】巻テープを装填したホルダーの断面図。
【図４】巻テープを装填したホルダーの断面図。
【符号の説明】
【００３０】
１          ホルダー
２          ホルダー本体
３ａ        左対向壁部
３ｂ        右対向壁部
４          連結壁部
５          支持部
６          間隔維持部
７          補強壁部
８          テープ保持部
８１        接触片
Ｔ          巻テープ
【図１】
2007126159.tif 000003
【図２】
2007126159.tif 000004
【図３】
2007126159.tif 000005
【図４】
2007126159.tif 000006